(57)【要約】  収納ラック（１０）は、一方が他方の上方に配置されており自動収容回収装置（１３）を用いて搬送可能な収納製品キャリア（１５）を支持する複数の支持ブラケット（１４）と、収納製品キャリア（１５）を挿入及び取り出しを行う少なくとも一つの収容回収開口部（２０）とを有する。収容回収開口部（２０）の上部（２２）に、収納製品キャリア（１５）における収納製品（１７）の収納位置を表示する表示手段（１６）が配置される。表示手段（１６）は複数の別個の照明要素（２１）を有する。照明要素（２１）は、照明要素（２１）の光ビーム（２３）が基本的に垂直に収納製品キャリア（１５）の収納面（１５ａ）上に向かって方向付けられるよう、２次元グリッド状に配置される。【選択図】図１
2010516594.tif 000002
【特許請求の範囲】
【請求項１】
複数の支持ブラケット（１４）であって一方が他方の上方に配置されており自動収容回収装置（１３）を用いて搬送可能な収納製品キャリアを支持する複数の支持ブラケット（１４）を備えており、前記収納製品キャリア（１５）を挿入及び取り出を行う少なくとも一つの収容回収開口部（２０）を備えるとともに、前記収容回収開口部（２０）の上部（２２）に配置されて前記収納製品キャリア（１５）内の収納製品（１７）の収納位置を表示する表示手段（１６）を有している収納ラック（１０）であって、前記表示手段（１６）が複数の別個の照明要素（２１）を備えている収納ラック（１０）において、
前記照明要素（２１）は、前記照明要素（２１）の光ビームが基本的に垂直に前記収納製品キャリア（１５）の収納面（１５ａ）上に向かって方向付けられるよう、２次元グリッド状に配置されている収納ラック（１０）。
【請求項２】
請求項１に記載の収納ラック（１０）において、前記照明要素（２１）は発光ダイオード（２８）として構成されている収納ラック（１０）。
【請求項３】
先行する請求項のいずれかに記載の収納ラック（１０）において、前記照明要素（２１）は、光ビーム（２３）の立体角領域を制限する円筒部（２６）を有している収納ラック（１０）。
【請求項４】
先行する請求項のいずれかに記載の収納ラック（１０）において、前記照明要素（２１）は、光ビーム（２３）を集光するレンズ部（２９）を有している収納ラック（１０）。
【請求項５】
先行する請求項のいずれかに記載の収納ラック（１０）において、前記照明要素（２１）は取付フランジ（２５）を有している収納ラック（１０）。
【請求項６】
先行する請求項のいずれかに記載の収納ラック（１０）において、前記照明要素（２１）を駆動する制御デバイス（３０）が配置されている収納ラック（１０）。
【請求項７】
請求項６に記載の収納ラック（１０）において、前記収納ラック（１０）から収納製品（１７）をリクエストする操作ユニット（３１）が配置されている収納ラック（１０）。
【発明の詳細な説明】
【技術分野】
【０００１】
本発明は、複数の支持ブラケットを備える収納ラックであって、複数の支持ブラケットが一方が他方の上方に載置されており自動収容回収装置を用いて搬送可能な収納製品キャリアを支持し、収納製品キャリアを挿入及び取り出しを行う少なくとも一つの収容回収開口部を備えるとともに収容回収開口部の上部に配置されて収納製品キャリアにおける収納製品の収納位置を表示する表示手段を有しており、表示手段が複数の照明要素を備えている収納ラックに関する。
【背景技術】
【０００２】
種々の収納製品が載置されるこのような収納ラックにおいて、収納製品の収容あるいは回収のために、一つの収納製品キャリアが収容回収開口部へと移動される。この収容回収開口部では、オペレータが出し入れ可能である。収納製品キャリアが収容回収開口部において準備が整うとすぐに、オペレータは新しい収納製品を収納製品キャリア上に置く、あるいは置かれた収納製品を収納製品キャリアから取り出すことができる。
【０００３】
最初に述べたタイプの最近の収納ラックは、在庫管理に提供し、そしてどの収納製品がどの収納製品キャリアにストックされているかを記憶するメモリを有するコントロールを有する。このようにして、オペレータは所望の収納製品キャリアを見つけることができる。収納製品キャリアにおける所望の収納製品を迅速に効率的に見つけるために、従来技術では、光マーキングを用いて収納製品の収納位置をマークすることが知られている。
【０００４】
ＤＥ４３０２７１１Ａ１は、この目的のために、収納製品を表示することができる可動光ビームガイドを開示している。光ビームガイドは、そのビームが回動可能なミラーによって方向が変えられて所望の位置へとガイドされるレーザーとして構成することができる。さらに、その光が集光される従来の光源を用いて光ビームガイドを実現することを開示している。
【０００５】
ＥＰ１０３８８０４Ａ１は、その収納製品キャリアが収納製品列に細分化される収納ラックの表示装置を説明している。収納製品キャリアが収容回収開口部へと移動されるとすぐに、収納製品列の一つが収納製品キャリアの側部に配置された光ストリップを用いて光学的にマークされる。光ストリップにおいて用いられる光源は、特にＬＥＤで構成することができる。
【０００６】
さらに、ＤＥ３８０９５２０Ｃ１は、収容回収開口部へと移動された収納製品キャリアにおける予想される収納位置をマークできる複数の照明要素が収容回収開口部の上方に配置されたコンピュータ制御の循環収納のための表示手段を教示している。
【発明の概要】
【発明が解決しようとする課題】
【０００７】
これを考慮して、本発明は、収納位置の表示の信頼性が向上された最初に述べたタイプの収納ラックを提案することを目的とする。
【課題を解決するための手段】
【０００８】
この問題を解決するために、最初に述べたタイプの収納ラックに対して、照明要素を、照明要素の光ビームが基本的に垂直に収納製品キャリアの収納面へ向けられるよう、２次元グリッド状に配置することを提案する。
【０００９】
本発明の収納ラックは、基本的に垂直な光ビームのために、照明要素の照射が収納製品、特に相当な大きさの収納製品によって遮られることがないという利点がある。このようにして、収納位置所の信頼性の高い、遮られることのない表示が可能になる。
【００１０】
本発明にかかる収納ラックの他の利点は、レーザー、方向を変えるユニットや光学系などの高価で複雑な部材を省略できるので、簡単に、したがって安価に製造できることにある。
【００１１】
従属項の主題は、好ましい態様にある。
【００１２】
好ましい態様では、照明要素のランプは発光ダイオードとして構成される。これにより、表示手段をメンテナンスフリーな方法で動作することができ、また、表示手段は白熱灯などの他の光源と比較して電力消費が十分に低いという利点がある。
【００１３】
好ましくは、照明要素は、光ビームの立体角領域を制限する円筒部を有している。この理由で、照明要素は小さい構造的な空間しか必要としない。照射を集光するおよび／または方向付けるさらなる手段を必要としないからである。
【００１４】
好ましい態様では、ランプはレンズ部を有する。これにより、照射をさらに集光することが可能になるとともに、光マーキングをわかりやすく見えるようにすることが可能になる。
【００１５】
さらに、照明要素は、好ましくは、それぞれが、照明要素を安価にかつ簡単に収納ラックに装着できる少なくとも１つの装着フランジを有することができる。
【００１６】
さらに、好ましくは、収納ラックがオペレータの入力に応じて照明要素を駆動する制御デバイスを有することを配置することができる。
【００１７】
操作ユニットが収納製品をリクエストする制御デバイスに接続されていることが、特に好ましい。これにより、収納ラックの効率的で簡単な操作が保証される。
【図面の簡単な説明】
【００１８】
【図１】図１は、本発明にかかる収納ラックの実施形態の概略的な側面図である。
【図２】図２は、図１にかかる収納ラックの概略的な正面図である。
【図３】図３は、本発明にかかる表示手段の平面図である。
【図４】図４は、図３にかかる表示手段の、発光ダイオードを有する照明要素および装着手段の拡大図である。
【発明を実施するための形態】
【００１９】
本発明を、以下に、図面に概略的に示す例示的な実施形態を参照して、詳細に説明する。
【００２０】
図１は、本発明にかかる収納ラックの実施形態の概略的な側面図である。
【００２１】
図２は、図１にかかる収納ラックの概略的な正面図である。
【００２２】
図３は、本発明にかかる表示手段の平面図である。
【００２３】
図４は、図３にかかる表示手段の、発光ダイオードを有する照明要素および装着手段の拡大図である。
【００２４】
図１に示す収納ラック１０は、互いに対して間隔を空けて配置された２つのモジュール１１ａ，１１ｂを有する。モジュール１１ａ，１１ｂの間には、収納製品キャリア１５を搬送可能にする目的で、移動可能な自動収容回収装置１３が配置される搬送空間１２が配置される。
【００２５】
モジュール１１ａ，１１ｂは、対向する側壁１９ａ，１９ｂに配置された、複数の間隔を空けて配置された支持ブラケット１４が、ペアで配置される。支持ブラケット１４は、収納製品１７をその中に受け取るトレー状の収納製品キャリア１５を支持するものである。
【００２６】
収納回収開口部２０が、モジュール１１ｂに配置される。収納回収開口部２０を介して、収納製品キャリア１５の挿入及び取り出しが行われる。
【００２７】
図２からわかるように、複数の照明要素２１を備える表示手段１６は、収容回収開口部２０の上部２２に、あるいは上部２２において配置される。照明要素２１は、オンにされると、光ビーム２３を発する。ビーム２３は、収納製品キャリア１５上へと、特に収納製品１７の収納位置上へと、下向きに方向付けられる。
【００２８】
照明要素２１は、照明要素２１によって生成された光ビーム２３が基本的に垂直に収納製品キャリア１５に当たるような方法で、上部２２に、あるいは上部２２において配置される。これにより、収納位置に方向付けられた光ビーム２３が隣接する収納場所に収納された収納製品１７によって遮られることが回避される。
【００２９】
光マーキング１８が、照明要素２１の光ビーム２３によって収納製品１７上に生成され、これにより、収納製品１７がオペレータにはっきり見えるようにする。
【００３０】
図３からわかるように、照明要素２１は、２次元グリッド状に配置される。
【００３１】
ある特定の収納製品１７の形状寸法に適した他のグリッドを用いることもできる。
【００３２】
照明要素２１を駆動するために、制御デバイス３０が配置される。操作ユニット３１が、ある特定の収納製品１７を選択することを可能にするよう、制御デバイス３０に接続される。所望の収納製品１７の入力後、対応する収納製品キャリア１５が収容回収開口部２０内へと入っていくように、制御デバイス３０は収容回収装置１３を駆動する。収納製品キャリア１５が収容回収開口部２０内に来るとすぐにその照明要素２１が駆動されて、所望の収納製品１７の収納位置上に光マーキング１８が生成される。
【００３３】
照明要素２１の構造を図４に示す。ハウジング２４は装着フランジ２５を有する。装着フランジ２５によって、照明要素２１が収容回収開口部２０の上部２２に装着される。さらに、ハウジング２４は、底部で開口している円筒部２６を有する。装着フランジ２５および円筒部２６は、それぞれ、金属あるいはプラスチック材料で構成できる。
【００３４】
円筒部２６の上部２７に、発光ダイオード（ＬＥＤ）２８がランプとして配置される。発光ダイオード２８の主たる照射方向は、円筒部２６の開口端に向かって方向付けられる。発光ダイオード２８は、レンズ部２９を有する。レンズ部２９によって、発光ダイオード２８によって照射された光は集光される。円筒部２６の長さによって、さらに、光ビーム２３に対する方向付け効果が得られる。これにより、照明要素２１によって収納製品キャリア１５の局所的に制限された領域のみが照射されることを保証する。
【００３５】
照明要素２１は、制御接続３２を円筒部２６の上端２７に有する。制御接続３２を介して、照明要素２１に電気エネルギーが供給されるとともに制御デバイス３０に接続される。
【００３６】
図２に示すように、照明要素２１は、装着フランジ２５を用いて、収容回収開口部２０の上部２２に装着される。
【００３７】
本発明は、特に、収納場所の表示が遮られないことが可能になり、この目的のために用いられる照明要素２１を簡単にかつ安価に製造することができるという特徴がある。さらに、照明要素２１を、収容回収開口部２０の上部２２に装着フランジ２５を用いて、安価にかつ確実に取り付けることができる。発光ダイオード２８を有用に備えた照明要素２１は、低消費電力であり、収納ラック１０の有効寿命全体にわたって実際上メンテナンスフリーであるという、さらなる利点を有する。
【符号の説明】
【００３８】
１０    収納ラック
１１ａ  モジュール
１１ｂ  モジュール
１２    搬送空間
１３    収容回収装置
１４    支持ブラケット
１５    収納製品キャリア
１５ａ  収納面
１６    表示手段
１７    収納製品
１８    光マーキング
１９ａ  側壁
１９ｂ  側壁
２０    収容回収開口部
２１    照明要素
２２    上部
２３    放射（光ビーム）
２４    ハウジング
２５    取付フランジ
２６    円筒部
２７    上端
２８    発光ダイオード（ＬＥＤ）
２９    レンズ部
３０    制御装置
３１    操作ユニット
【先行技術文献】
【特許文献】
【００３９】
【特許文献１】独国特許出願公開第４３０２７１１号明細書
【特許文献２】欧州特許出願公開第１０３８８０４号明細書
【特許文献３】独国特許発明第３８０９５２０号明細書
【図１】
2010516594.tif 000003
【図２】
2010516594.tif 000004
【図３】
2010516594.tif 000005
【図４】
2010516594.tif 000006
【国際調査報告】
2010516594.tif 000007
2010516594.tif 000008
2010516594.tif 000009
2010516594.tif 000010